(57)【特許請求の範囲】
【請求項１】
周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
外部装置から処理要求を受信した場合、当該外部装置または当該外部装置と対応付けられた装置から特徴パターンを受信する受信手段と、
前記記憶手段に記憶されている特徴パターンと前記受信手段により受信された特徴パターンとを比較する比較手段と、
前記比較手段において比較された２つの特徴パターンが同一環境下において測定されたものである場合に、受信された前記処理要求に基づく処理を実行する処理実行手段と、
を備えた情報処理装置。
【請求項２】
周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
外部装置により生成されたファイルデータに含まれる特徴パターンと、前記記憶手段に記憶されている特徴パターンとを比較する比較手段と、
前記比較手段において比較された２つの特徴パターンが同一環境下において測定されたものである場合に、前記ファイルデータに対する処理を許可する許可手段と、
を備えた情報処理装置。
【請求項３】
前記処理実行手段は、比較された２つの特徴パターンが所定の整合率以上で一致した場合に、比較された２つの特徴パターンが同一環境下において測定されたものであると判定する請求項１または２記載の情報処理装置。
【請求項４】
周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
前記演算手段により演算された特徴パターンと、前記記憶手段に記憶されている過去の環境データに基づく特徴パターンとを比較する比較手段と、
前記比較手段において比較した２つの特徴パターンが異なる環境下において測定されたものである場合に、自装置の設置場所が変動したことを通知する通知手段と、
を備えた情報処理装置。
【請求項５】
前記演算手段は、取得した環境データの所定期間分のデータに対して所定の変換処理を行うことにより特徴パターンを演算する請求項１から４のいずれか１項記載の情報処理装置。
【請求項６】
前記記憶手段は、日、時間帯または曜日のうちの少なくとも２以上の組み合わせ毎に、前記演算手段により演算された特徴パターンを記憶する請求項１から５のいずれか１項記載の情報処理装置。
【請求項７】
前記取得手段が、気圧センサ、音声センサ、加速度センサ、温度センサ、湿度センサ、照度センサ、磁気センサのうちのいずれか１つまたは少なくとも２つ以上の組み合わせのいずれかであり、
前記環境データが、気圧データ、音声データ、加速度データ、温度データ、湿度データ、照度データ、磁気データのうちのいずれか１つまたは少なくとも２つ以上の組み合わせである請求項１から６のいずれか１項記載の情報処理装置。
【請求項８】
周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを他の装置に転送する転送手段と、
外部装置から印刷指示を受付ける受付手段と、
前記受付手段により受付けられた印刷指示に基づく画像を記録媒体上に出力する出力手段と、
を備えた画像形成装置。
【請求項９】
周囲の環境情報の時間変化を環境データとして取得する取得ステップと、
前記取得ステップにおいて取得された環境データに対して所定の変換処理を行うことにより特徴パターンを演算する演算ステップと、
前記演算ステップにおいて演算された特徴パターンを記憶する記憶ステップと、
外部装置から処理要求を受信した場合、当該外部装置または当該外部装置と対応付けられた装置から特徴パターンを受信する受信ステップと、
前記記憶ステップにおいて記憶した特徴パターンと前記受信ステップにおいて受信された特徴パターンとを比較する比較ステップと、
前記比較ステップにおいて比較された２つの特徴パターンが同一環境下において測定されたものである場合に、受信された前記処理要求に基づく処理を実行する処理実行ステップとをコンピュータに実行させるためのプログラム。
【請求項１０】
周囲の環境情報の時間変化を環境データとして取得する取得ステップと、
前記取得ステップにおいて取得された環境データに対して所定の変換処理を行うことにより特徴パターンを演算する演算ステップと、
前記演算ステップにおいて演算された特徴パターンを記憶する記憶ステップと、
外部装置により生成されたファイルデータに含まれる特徴パターンと、前記記憶ステップにおいて記憶した特徴パターンとを比較する比較ステップと、
前記比較ステップにおいて比較された２つの特徴パターンが同一環境下において測定されたものである場合に、前記ファイルデータに対する処理を許可する許可ステップとをコンピュータに実行させるためのプログラム。
【発明の詳細な説明】
【技術分野】
【０００１】
本発明は、情報処理装置、画像形成装置およびプログラムに関する。
【背景技術】
【０００２】
特許文献１には、電磁波による通信に基づいて携帯電話等のモバイル装置の位置を追跡し、追跡した移動パターンに基づいてユーザに様々な提案を行うようなシステムが開示されている。
【０００３】
特許文献２には、受信した測位信号に基づいて自装置の位置を演算する際に、受信した測位信号に位置情報が含まれていない場合には、加速度センサ、ジャイロセンサ等を用いて自装置の位置を推定するようにした位置情報提供装置が開示されている。
【０００４】
特許文献３には、端末装置が屋内環境にある場合でも、無線アクセスポイントから受信する電波強度に基づいて端末装置の位置を推定するような方法が開示されている。
【先行技術文献】
【特許文献】
【０００５】
【特許文献１】特開２０１２−５２９８７３号公報
【特許文献２】特開２０１４−０２３１１９号公報
【特許文献３】特開２０１４−１９２８１３号公報
【発明の概要】
【発明が解決しようとする課題】
【０００６】
一般的に、情報処理装置を外部装置に接続したり、外部装置からの処理要求を情報処理装置において実行する際に、セキュリティを確保するために外部装置の認証を行う場合、識別情報やパスワード等を用いた認証処理が行われる。
【０００７】
また、より強固なセキュリティ保護のためには、情報処理装置を、特定の領域内に設置されている外部装置からの処理要求のみを実行したい場合がある。
【０００８】
しかし、識別情報やパスワード等を用いた認証処理を行っただけでは、この外部装置の設置場所が特定の領域から移動されてしまったような場合でも情報処理装置において外部装置からの処理要求を実行してしまい、特定の領域内に設置されている外部装置からの処理要求のみを実行するということを実現することができない。
【０００９】
本発明の目的は、外部装置が特定の環境領域内に存在する場合にのみ処理要求を実行することが可能な情報処理装置、画像形成装置およびプログラムを提供することである。
【課題を解決するための手段】
【００１０】
［情報処理装置］
請求項１に係る本発明は、周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
外部装置から処理要求を受信した場合、当該外部装置または当該外部装置と対応付けられた装置から特徴パターンを受信する受信手段と、
前記記憶手段に記憶されている特徴パターンと前記受信手段により受信された特徴パターンとを比較する比較手段と、
前記比較手段において比較された２つの特徴パターンが同一環境下において測定されたものである場合に、受信された前記処理要求に基づく処理を実行する処理実行手段と備えた情報処理装置である。
【００１１】
請求項２に係る本発明は、周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
外部装置により生成されたファイルデータに含まれる特徴パターンと、前記記憶手段に記憶されている特徴パターンとを比較する比較手段と、
前記比較手段において比較された２つの特徴パターンが同一環境下において測定されたものである場合に、前記ファイルデータに対する処理を許可する許可手段とを備えた情報処理装置である。
【００１２】
請求項３に係る本発明は、前記処理実行手段が、比較された２つの特徴パターンが所定の整合率以上で一致した場合に、比較された２つの特徴パターンが同一環境下において測定されたものであると判定する請求項１または２記載の情報処理装置である。
【００１３】
請求項４に係る本発明は、周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを記憶する記憶手段と、
前記演算手段により演算された特徴パターンと、前記記憶手段に記憶されている過去の環境データに基づく特徴パターンとを比較する比較手段と、
前記比較手段において比較した２つの特徴パターンが異なる環境下において測定されたものである場合に、自装置の設置場所が変動したことを通知する通知手段とを備えた情報処理装置である。
【００１４】
請求項５に係る本発明は、前記演算手段が、取得した環境データの所定期間分のデータに対して所定の変換処理を行うことにより特徴パターンを演算する請求項１から４のいずれか１項記載の情報処理装置である。
【００１５】
請求項６に係る本発明は、前記記憶手段が、日、時間帯または曜日のうちの少なくとも２以上の組み合わせ毎に、前記演算手段により演算された特徴パターンを記憶する請求項１から５のいずれか１項記載の情報処理装置である。
【００１６】
請求項７に係る本発明は、前記取得手段が、気圧センサ、音声センサ、加速度センサ、温度センサ、湿度センサ、照度センサ、磁気センサのうちのいずれか１つまたは少なくとも２つ以上の組み合わせのいずれかであり、
前記環境データが、気圧データ、音声データ、加速度データ、温度データ、湿度データ、照度データ、磁気データのうちのいずれか１つまたは少なくとも２つ以上の組み合わせである請求項１から６のいずれか１項記載の情報処理装置である。
【００１７】
[画像形成装置]
請求項８に係る本発明は、周囲の環境情報の時間変化を環境データとして取得する取得手段と、
前記取得手段によりにより取得された環境データに対して所定の変換処理を行うことにより特徴パターンを演算する演算手段と、
前記演算手段により演算された特徴パターンを他の装置に転送する転送手段と、
外部装置から印刷指示を受付ける受付手段と、
前記受付手段により受付けられた印刷指示に基づく画像を記録媒体上に出力する出力手段とを備えた画像形成装置である。
【００１８】
[プログラム]
請求項９に係る本発明は、周囲の環境情報の時間変化を環境データとして取得する取得ステップと、
前記取得ステップにおいて取得された環境データに対して所定の変換処理を行うことにより特徴パターンを演算する演算ステップと、
前記演算ステップにおいて演算された特徴パターンを記憶する記憶ステップと、
外部装置から処理要求を受信した場合、当該外部装置または当該外部装置と対応付けられた装置から特徴パターンを受信する受信ステップと、
前記記憶ステップにおいて記憶した特徴パターンと前記受信ステップにおいて受信された特徴パターンとを比較する比較ステップと、
前記比較ステップにおいて比較された２つの特徴パターンが同一環境下において測定されたものである場合に、受信された前記処理要求に基づく処理を実行する処理実行ステップとをコンピュータに実行させるためのプログラムである。
【００１９】
請求項１０に係る本発明は、周囲の環境情報の時間変化を環境データとして取得する取得ステップと、
前記取得ステップにおいて取得された環境データに対して所定の変換処理を行うことにより特徴パターンを演算する演算ステップと、
前記演算ステップにおいて演算された特徴パターンを記憶する記憶ステップと、
外部装置により生成されたファイルデータに含まれる特徴パターンと、前記記憶ステップにおいて記憶した特徴パターンとを比較する比較ステップと、
前記比較ステップにおいて比較された２つの特徴パターンが同一環境下において測定されたものである場合に、前記ファイルデータに対する処理を許可する許可ステップとをコンピュータに実行させるためのプログラムである。
【発明の効果】
【００２０】
請求項１に係る本発明によれば、外部装置が特定の環境領域内に存在する場合にのみ処理要求を実行することが可能な情報処理装置を提供することができる。
【００２１】
請求項２に係る本発明によれば、外部装置により生成されたファイルデータに対する処理を、外部装置と同じ環境領域内に存在する情報処理装置にのみ許可することが可能になるという効果を得ることができる。
【００２２】
請求項３に係る本発明によれば、外部装置が特定の環境領域内に存在する場合にのみ処理要求を実行することが可能な情報処理装置を提供することができる。
【００２３】
請求項４に係る本発明によれば、ＧＰＳ等の位置検出手段を備えていない場合でも、自装置の設置場所が変動したことを通知することが可能な情報処理装置を提供することができる。
【００２４】
請求項５に係る本発明によれば、外部装置が特定の環境領域内に存在する場合にのみ処理要求を実行することが可能な情報処理装置を提供することができる。
【００２５】
請求項６に係る本発明によれば、日、時間帯、曜日等による環境データの変化を考慮して、２つの特徴パターンの比較を行うことが可能な情報処理装置を提供することができる。
【００２６】
請求項７に係る本発明によれば、外部装置が特定の環境領域内に存在する場合にのみ処理要求を実行することが可能な情報処理装置を提供することができる。
【００２７】
請求項８に係る本発明によれば、外部装置において画像形成装置から転送されてくる環境情報を監視することで、画像形成装置の設置場所が変動することを検出することが可能になるという効果を得ることができる。
【００２８】
請求項９に係る本発明によれば、外部装置が特定の環境領域内に存在する場合にのみ処理要求を実行することが可能なプログラムを提供することができる。
【００２９】
請求項１０に係る本発明によれば、外部装置により生成されたファイルデータに対する処理を、外部装置と同じ環境領域内に存在する情報処理装置にのみ許可することが可能になるという効果を得ることができる。
【図面の簡単な説明】
【００３０】
【図１】本発明の第１の実施形態の情報処理システムのシステム構成を示す図である。
【図２】本発明の第１の実施形態の情報処理システムにおける画像形成装置１０のハードウェア構成を示すブロック図である。
【図３】本発明の第１の実施形態の情報処理システムにおける画像形成装置１０の機能構成を示すブロック図である。
【図４】本発明の第１の実施形態の情報処理システムにおける端末装置２０のハードウェア構成を示すブロック図である。
【図５】本発明の第１の実施形態の情報処理システムにおける端末装置２０の機能構成を示すブロック図である。
【図６】環境情報測定部３１の加速度センサ４１、気圧センサ４２、集音マイク４３により測定される加速度データ、気圧データ、音声データの一例をそれぞれ示す図である。
【図７】図６（Ａ）に示した加速度データに対してＦＦＴを行ってピリオドグラムを演算して加速度の特徴パターンを得る様子を示す図である。
【図８】加速度データをＸ軸とし、音声データをＹ軸としてリサージュ図形を生成して特徴パターンを得る方法を説明するための図である。
【図９】端末装置２０から画像形成装置１０に対して、環境情報が含まれた印刷ジョブを送信した場合の動作を説明するための図である。
【図１０】環境情報が含まれた印刷ジョブを画像形成装置１０が受信した場合の動作を説明するためのフローチャートである。
【図１１】画像形成装置１０から端末装置２０に対して、環境情報が含まれた画像ファイルデータを送信した場合の動作を説明するための図である。
【図１２】環境情報が含まれた画像ファイルデータを端末装置２０が受信した場合の動作を説明するためのフローチャートである。
【図１３】環境情報測定部３１を有する画像形成装置１０が、設置されていたある場所から他の場所に移動された様子を説明するための図である。
【図１４】画像形成装置１０が、自装置の操作パネルに設置場所が移動されたことの警告表示を行った場合の一例を示す図である。
【図１５】本発明の第２の実施形態の情報処理システムのシステム構成を示す図である。
【図１６】携帯端末装置８１からの認証処理を受けた無線ＬＡＮターミナル装置８２において、特徴パターンの比較を行って要求された認証処理を実行する場合の動作について説明するためのフローチャートである。
【発明を実施するための形態】
【００３１】
[第１の実施形態]
次に、本発明の実施の形態について図面を参照して詳細に説明する。
【００３２】
図１は本発明の第１の実施形態の情報処理システムの構成を示す図である。
【００３３】
本実施形態の情報処理システムは、図１に示されるように画像形成装置１０と端末装置２０とがネットワーク３０により相互に接続されている。さらに、画像形成装置１０はインターネット通信網４０を介してサーバ装置５０と接続されている。
【００３４】
端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３５】
次に、本実施形態の情報処理システムにおける画像形成装置１０のハードウェア構成を図２に示す。
【００３６】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３７】
プリントエンジン１７は、帯電、露光、現像、転写、定着などの工程を経て印刷用紙等の記録媒体上に画像を印刷する。
【００３８】
ＣＰＵ１１は、メモリ１２または記憶装置１３に格納された制御プログラムに基づいて所定の処理を実行して、画像形成装置１０の動作を制御する。
【００３９】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４０】
図３は、上記の制御プログラムが実行されることにより実現される画像形成装置１０の機能構成を示すブロック図である。
【００４１】
本実施形態の画像形成装置１０は、図３に示されるように、環境情報測定部３１と、データ転送部３２と、印刷ジョブ受付部３３と、環境情報受信部３４と、比較部３５と、制御部３６と、画像出力部３７とを備えている。
【００４２】
環境情報測定部３１は、画像形成装置１０が設定されている場所の周囲の環境情報を測定する。
【００４３】
具体的には、環境情報測定部３１は、加速度センサ４１と、気圧センサ４２と、集音マイク４３と、特徴パターン演算部４４と、特徴パターン記憶部４５とから構成されている。
【００４４】
加速度センサ４１は、加速度の時間変化を加速度データとして測定して取得する。気圧センサ４２は気圧の時間変化を気圧データとして測定して取得する。集音マイク（音声センサ）４３は、周囲の音声信号を測定して音声データとして取得する。
【００４５】
特徴パターン演算部４４は、加速度センサ４１、気圧センサ４２、集音マイク４３により取得された、前記取得手段によりにより取得された加速度データ、気圧データ、音声データ等の環境データに基づいて特徴パターンを演算する。具体的には、特徴パターン演算部４４は、上記の環境データに対して、高速フーリエ変換処理（ＦＦＴ）を行うことにより特徴パターンを演算する。この特徴パターンの具体的な演算方法の詳細については後述する。
【００４６】
特徴パターン記憶部４５は、特徴パターン演算部４４により演算された特徴パターンを環境情報として記憶する。なお、特徴パターン記憶部４５は、日、時間帯または曜日のうち少なくとも１以上の組み合わせ毎に、特徴パターン演算部４４により演算された特徴パターンを記憶するようにしても良い。例えば、就業時間と就業時間外、または午前、午後、夜間等の時間帯や、平日と祝祭日等の休日等の組み合わせ毎に特徴パターンを記憶するようにしても良い。より具体的に、１０月１０日の１５：００といったように特定の日時での特徴パターンを記憶するようにしても良い。
【００４７】
なお、本実施形態では、環境データを取得するための取得手段として、加速度センサ４１、気圧センサ４２、集音マイク４３という３つのセンサを用いた場合について説明するが、センサの種類はこれに限定されるものではない。この３つのセンサおよび温度センサ、湿度センサ、照度センサ、磁気センサ等の各種センサのうちのいずれか１つまたは少なくとも２つ以上の組み合わせを、環境データを取得するための取得手段として用いることができるものである。
【００４８】
この場合には、気圧データ、音声データ、加速度データ、温度データ、湿度データ、照度データ、磁気データのうちのいずれか１つまたは少なくとも２つ以上の組み合わせが環境データとして取得されることになる。
【００４９】
データ転送部３２は、環境情報測定部３１により測定された特徴パターンを環境情報としてサーバ装置５０等の他の装置に例えば１日毎、１週間毎等の所定の時間間隔で転送する。
【００５０】
印刷ジョブ受付部３３は、端末装置２０等の外部装置から印刷ジョブ（印刷指示）を受付ける。
【００５１】
画像出力部３７は、印刷ジョブ受付部３３により受付けられた印刷ジョブに基づく画像を記録媒体上に出力する。
【００５２】
環境情報受信部３４は、端末装置２０等の外部装置から印刷ジョブを受信した場合、この端末装置２０または端末装置２０と対応付けられた装置から環境情報を受信する。本実施形態では、環境情報受信部３４は、印刷ジョブ受付部３３により受け付けられた印刷ジョブに含まれる特徴パターンデータを環境情報として受信する。
【００５３】
比較部３５は、環境情報測定部３１により測定された環境情報と環境情報受信部３４により受信された環境情報とを比較する。具体的には、比較部３５は、特徴パターン記憶部４５に記憶されている特徴パターンと、環境情報受信部３４により環境情報として受信された特徴パターンとを比較する。
【００５４】
制御部３６は、比較部３５において比較された２つの環境情報が同一環境下において測定されたものである場合に、受信された印刷ジョブ等の処理要求に基づく処理を実行する（処理実行手段）。具体的には、制御部３６は、比較された２つの特徴パターンが所定の整合率（例えば、９０％以上）以上で一致した場合に、画像出力部３７に対して受信した印刷ジョブに基づく印刷処理を実行させる。
【００５５】
また、比較部３５は、特徴パターン演算部４４により演算された特徴パターンと、特徴パターン記憶部４５に記憶されている過去の環境データに基づく特徴パターンとを比較する。そして、制御部３６は、比較部３５において比較した２つの特徴パターンが異なる場合に、自装置の設置場所が異なる環境エリアに移動したと判定して、自装置の設置場所が変動したことを通知する（通知手段）。
【００５６】
具体的には、制御部３６は、予め設定された宛先に電子メールを送信することにより自装置の設置場所が移動したことを通知するようにしても良いし、自装置の操作パネルに設定場所が移動されたことの警告表示を行うことにより装置を移動したユーザに対して通知を行うようにしても良い。
【００５７】
次に、本実施形態の情報処理システムにおける端末装置２０ハードウェア構成を図４に示す。
【００５８】
端末装置２０は、図４に示されるように、ＣＰＵ５１、メモリ５２、ハードディスクドライブ（ＨＤＤ）等の記憶装置５３、ネットワーク３０を介して画像形成装置１０との間でデータの送信及び受信を行う通信インタフェース（ＩＦ）５４、タッチパネル又は液晶ディスプレイ並びにキーボードを含むユーザインタフェース（ＵＩ）装置５５を有する。これらの構成要素は、制御バス５６を介して互いに接続されている。
【００５９】
ＣＰＵ５１は、メモリ５２または記憶装置５３に格納された制御プログラムに基づいて所定の処理を実行して、端末装置２０の動作を制御する。
【００６０】
なお、本実施形態では、ＣＰＵ５１は、メモリ５２または記憶装置５３内に格納された制御プログラムを読み出して実行するものとして説明したが、当該プログラムをＣＤ−ＲＯＭ等の記憶媒体に格納してＣＰＵ５１に提供することも可能である。
【００６１】
図５は、上記の制御プログラムが実行されることにより実現される端末装置２０の機能構成を示すブロック図である。
端末装置２０は、図５に示されるように、環境情報測定部６１と、画像データ受信部６２と、環境情報受信部６３と、比較部６４と、制御部６５とを備えている。
【００６２】
環境情報測定部６１は、図３に示した画像形成装置１０における環境情報測定部３１と同様の機能を有していて、端末装置２０が設定されている場所の周囲の環境情報を測定する。
【００６３】
具体的には、環境情報測定部６１は、加速度センサ７１と、気圧センサ７２と、集音マイク７３と、特徴パターン演算部７４と、特徴パターン記憶部７５とから構成されている。この、加速度センサ７１、気圧センサ７２、集音マイク７３と、特徴パターン演算部７４、特徴パターン記憶部７５は、それぞれ、図３に示した環境情報測定部３１における加速度センサ４１、気圧センサ４２、集音マイク４３と、特徴パターン演算部４４、特徴パターン記憶部４５と同様の機能を備えているためその説明は省略する。
【００６４】
画像データ受信部６２は、画像形成装置１０等の外部装置から、原稿をスキャンすることにより得られた画像データを受信する。ここで、この画像データは、ファイル形式となっており、端末装置２０上で対応するソフトウェアを使用して閲覧可能となっている。
【００６５】
環境情報受信部６３は、画像データ受信部６２により受信された画像ファイルデータから、環境情報を取得する。
【００６６】
比較部６４は、環境情報受信部６３により取得された、画像形成装置１０により生成された画像ファイルデータに含まれる環境情報と、環境情報測定部６１により測定された環境情報とを比較する。
【００６７】
そして、制御部６５は、比較部６４において比較された２つの環境情報が同一環境下において測定されたものである場合に、その画像ファイルデータに対する処理、つまり内容を閲覧する処理を許可する（許可手段）。
【００６８】
次に、画像形成装置１０および端末装置２０における環境情報測定部３１、６１における環境情報の測定動作の詳細について図面を参照して説明する。なお、以下の説明においては画像形成装置１０における環境情報測定部３１についての測定動作のみを説明するが、環境情報測定部６１においても同様の処理が行われる。
【００６９】
まずは、環境情報測定部３１の加速度センサ４１、気圧センサ４２、集音マイク４３により測定される加速度データ、気圧データ、音声データの一例を図６(Ａ)、図６（Ｂ）、図６（Ｃ）にそれぞれ示す。
【００７０】
そして、特徴パターン演算部４４では、これらの環境データの処理時間分のデータに対してフーリエ変換処理を実行することによりピリオドグラムを生成する。このピリオドグラムとは、環境データから抽出した周波数成分とその振幅をプロットしたものであり、環境情報が測定された環境エリアにおける特徴を有するデータとなっている。
【００７１】
図６（Ａ）に示したような加速度データに対してＦＦＴを行ってピリオドグラムを演算して加速度の特徴パターンを得る様子を図７に示す。
【００７２】
また、加速度データ等の環境データに対してＦＦＴを行うのではなく他の処理を実行することによって、その環境データの特徴パターンを演算することも可能である。
【００７３】
例えば、図８に示した演算方法では、加速度データをＸ軸とし、音声データをＹ軸としてリサージュ図形を生成し、このリサージュ図形の外接矩形と内接矩形とを求めることにより特徴パターンを得る方法が示されている。この方法では、例えば、比較する２つの環境情報から得られた一方のリサージュ図形の外接矩形と内接矩形に対して許容範囲を設定して、他方のリサージュ図形がその許容範囲内に収まれば２つの環境情報が一致すると判定するようなことが可能である。
【００７４】
次に、測定された環境情報を用いて画像形成装置１０と端末装置２０との間で行われる具体的動作について説明する。
【００７５】
まずは、図９に示すように、端末装置２０から画像形成装置１０に対して、環境情報が含まれた印刷ジョブを送信した場合の動作について説明する。図１０は、環境情報が含まれた印刷ジョブを画像形成装置１０が受信した場合の動作を示すフローチャートである。
【００７６】
画像形成装置１０では、印刷ジョブ受付部３３により印刷ジョブが受信されると、環境情報受信部３４はこの印刷ジョブから環境情報、つまり特徴パターンデータを抽出する（ステップＳ１０１）。
【００７７】
すると、比較部３５は、環境情報受信部３４により受信された環境情報である特徴パターンと、特徴パターン記憶部４５に記憶されている特徴パターンとを比較する（ステップＳ１０２）。
【００７８】
そして、比較した２つの特徴パターンが一致した場合（ステップＳ１０３においてｙｅｓ）、制御部３６は、端末装置２０は画像形成装置１０が設定されている環境エリアと同一の環境エリア内に設置されていると判定して、印刷ジョブ受付部３３において受け付けた端末装置２０からの印刷ジョブを実行して、画像出力部３７を制御して印刷ジョブに基づく画像を印刷用紙上に出力させる（ステップＳ１０４）。
【００７９】
なお、比較した２つの特徴パターンが一致しなかった場合（ステップＳ１０３においてｎｏ）、制御部３６は、印刷ジョブを実行できない旨を例えば画像形成装置１０の操作パネル上に表示する（ステップＳ１０５）。
【００８０】
ここで、同一環境エリアとは、例えば、同一の室内、同一のフロア、同一の建物内等の音声、振動、温度、湿度等の環境がほぼ同一になると考えられるエリアのことである。つまり、同一エリア内で測定された環境データは、その環境エリア固有のデータとなっており、他の環境エリアにおいて測定された環境エリアとなっているものと考えられる。
【００８１】
例えば、各建築物には固有の微弱な振動が存在するため、振動データを測定することにより同一の建築物内であるか否かを判定することが可能となる。また、気圧は、地上高が高くなれば低くなるため、同じ建築物内でも高層階になるほど低くなる。そのため、気圧変動を環境データとして比較することにより、２つの環境データが同一環境エリア内で測定されたか否かを判定することが可能となる。
【００８２】
また、狭いオフィスのような同一の室内であれば、空調音、機械音等そのオフィス特有の音が発生している場合もあるため、音声データを測定することにより同一室内であるかを判定することが可能となる。
【００８３】
特に、単一の環境データだけでは判定できない場合でも、複数の環境データを組み合わせることにより、２つの環境データが同一の環境データで測定されたものか否かを判定することができるようになると考えられる。
【００８４】
次に、図１１に示すように、画像形成装置１０から端末装置２０に対して、環境情報が含まれた画像ファイルデータを送信した場合の動作について説明する。図１２は、環境情報が含まれた画像ファイルデータを端末装置２０が受信した場合の動作を示すフローチャートである。
【００８５】
端末装置２０では、画像データ受信部６２により画像ファイルデータが受信されると、環境情報受信部６３はこの画像ファイルデータから環境情報、つまり特徴パターンデータを抽出する（ステップＳ２０１）。
【００８６】
そして、例えば、ユーザがこの画像ファイルデータをダブルクリック等することによりファイルを開いて閲覧するような指示をした場合（ステップＳ２０２）、比較部６４は、環境情報受信部６３により受信された特徴パターンと、特徴パターン記憶部７５に記憶されている特徴パターンとを比較する（ステップＳ２０３）。
【００８７】
そして、比較した２つの特徴パターンが一致した場合（ステップＳ２０４においてｙｅｓ）、制御部６５は、自装置は画像形成装置１０が設定されている環境エリアと同一の環境エリア内に設置されていると判定して、ファイルを開く指示を受けた画像ファイルデータの閲覧を許可してこの画像ファイルデータを開いて画面に表示するような処理を実行する（ステップＳ２０５）。
【００８８】
なお、比較した２つの特徴パターンが一致しなかった場合（ステップＳ２０４においてｎｏ）、制御部６５は、例えば、画像ファイルデータを開くことができない旨を端末装置２０のディスプレイ上に表示する（ステップＳ２０６）。
【００８９】
次に、図１３に示すように、環境情報測定部３１を有する画像形成装置１０が、設置されていたある場所から他の場所に移動された場合の動作を説明する。
【００９０】
上述したように、比較部３５は、特徴パターン演算部４４により演算された特徴パターンと、特徴パターン記憶部４５に記憶されている過去の環境データに基づく特徴パターンとを、１日毎等の所定の期間間隔で比較している。
【００９１】
そのため、このように画像形成装置１０が、設置されていたある場所から、異なる環境エリアの場所に移動された場合、比較部３５において比較された最新の特徴パターンと、特徴パターン記憶部４５に記憶されている過去の環境データに基づく特徴パターンとが異なると判定されることになる。
【００９２】
すると、制御部３６は、自装置の設置場所が異なる環境エリアに移動されたと判定して、自装置の設置場所が変動したことを予め設定された宛先に電子メールを送信することにより自装置の設置場所が移動したことを通知するとともに、図１４に示すように、自装置の操作パネルに設置場所が移動されたことの警告表示を行う。
【００９３】
図１４を参照すると、画像形成装置１０の操作パネル上に「この装置の設置場所を移動した場合には、○○○−○△□○まで連絡して下さい。」との文章が表示され、画像形成装置１０を移動したユーザに装置のメンテナンスを管理しているサービス会社に連絡するよう促す表示が行われているのが分かる。
【００９４】
なお、このような画像形成装置１０が移動されたことは、例えばＧＰＳ受信機のような位置情報の測定装置を備えていれば可能であるが、本実施形態のように環境データに基づいて画像形成装置１０が移動されたことを検出するような方法によれば、ＧＰＳ衛星からの電波を受信することができないような場所に画像形成装置１０が設置された場合でも移動を検出することが可能である。
【００９５】
また、データ転送部３２は、環境情報測定部３１により測定された特徴パターンをサーバ装置５０に例えば１日毎、１週間毎等の所定の時間間隔で転送している。そのため、サーバ装置５０において転送されてくる特徴パターンを監視し続けて、この特徴パターンが大幅に変化したことを検出すれば、画像形成装置１０の設置場所が移動したことを検知することができる。
【００９６】
[第２の実施形態]
次に、本発明の第２の実施形態の情報処理システムについて説明する。
【００９７】
本実施形態の情報処理システムの構成について図１５を参照して説明する。本実施形態の情報処理システムは、図１５に示されるように、環境情報測定部９１を有するスマートフォン等の携帯端末装置８１と、無線ＬＡＮターミナル装置８２と、環境情報測定装置８３とから構成されている。
【００９８】
環境情報測定部９１は、図３に示した環境情報測定部３１や図５に示した環境情報測定部６１と同様な構成となっており、携帯端末装置８１の周囲の環境情報を測定する。
【００９９】
また、環境情報測定装置８３も同様に、図３に示した環境情報測定部３１や図５に示した環境情報測定部６１と同様な構成となっており、自装置の周囲の環境情報を測定する。
【０１００】
無線ＬＡＮターミナル装置８２は、携帯端末装置８１との間で無線接続を行うための装置であり、携帯端末装置８１からの認証要求に基づいて認証処理を行って無線接続を開始する。
【０１０１】
なお、無線ＬＡＮターミナル装置８２と環境情報測定装置８３とはかならずしもデータ送受信可能なように接続されている必要はなくお互いが対応付けられていれば良い。
【０１０２】
まずは、図１６のフローチャートを参照して、携帯端末装置８１からの認証処理を受けた無線ＬＡＮターミナル装置８２内において、特徴パターンの比較を行って、２つの特徴パターンが一致した場合に要求された認証処理を実行する場合の動作について説明する。
【０１０３】
ここでは、環境情報測定装置８３において測定された特徴パターン（環境情報）は有線接続または無線接続により無線ＬＡＮターミナル装置８２に送信されるものとして説明する。
【０１０４】
まず、無線ＬＡＮターミナル装置８２は、携帯端末装置８１からの認証要求を受付けると（ステップＳ３０１）、環境情報測定装置８３から特徴パターンを取得する。
【０１０５】
そして、無線ＬＡＮターミナル装置８２は、携帯端末装置８１からの認証要求に含まれる特徴パターンと、環境情報測定装置８３から取得した特徴パターンとを比較する（ステップＳ３０２）。
【０１０６】
そして、比較した２つの特徴パターンが一致した場合（ステップＳ３０３においてｙｅｓ）、無線ＬＡＮターミナル装置８２は、携帯端末装置８１は自装置と同一の環境エリア内に存在すると判定して、携帯端末装置８１から要求された認証処理を実行する（ステップＳ３０４）。
【０１０７】
なお、比較した２つの特徴パターンが一致しなかった場合（ステップ３０３においてｎｏ）、無線ＬＡＮターミナル装置８２は、携帯端末装置８１から要求された認証処理を拒絶する（ステップ３２０５）。
【０１０８】
このような処理が行われることにより、携帯端末装置８１が、環境情報測定装置８３が設置された環境エリア（つまり無線ＬＡＮターミナル装置８２が設置された環境エリア）内に存在する場合にのみ、携帯端末装置８１と無線ＬＡＮターミナル装置８２との接続が許可されることになる。
【０１０９】
なお、上記の説明では無線ＬＡＮターミナル装置８２において２つの特徴パターンの比較を行っていたが、携帯端末装置８１において２つの特徴パターンの比較処理を行うようにすることができる。
【０１１０】
この場合には、携帯端末装置８１における環境情報受信部は、無線ＬＡＮターミナル装置８２から処理要求を受信した場合、無線ＬＡＮターミナル装置８２から直接または無線ＬＡＮターミナル装置８２と対応付けられた環境情報測定装置８３から環境情報を受信する。
【０１１１】
そして、携帯端末装置８１において、受信した環境情報と、自装置の環境情報測定部９１において測定された環境情報との比較が行われて、比較した２つの環境情報が一致した場合に要求された処理が実行されることになる。
【０１１２】
[変形例]
上記第１の実施形態では、画像形成装置１０と端末装置２０とがそれぞれ環境情報を測定して、測定された環境情報が一致することを画像形成装置１０または端末装置２０で確認して、画像形成装置１０では端末装置２０からの印刷ジョブを実行したり、端末装置２０では画像形成装置１０からの画像ファイルの閲覧を許可する場合を用いて説明したが、本発明はこれに限定されるものではない。情報処理装置と、この情報処理装置とは異なる外部装置とがそれぞれ環境情報を測定して、測定された環境情報が一致することを情報処理装置において確認して、外部処理装置からの処理要求等の特定の処理を実行するような場合でも同様に本発明を適用することができるものである。
【０１１３】
また、上記第２の実施形態では、携帯端末装置８１と環境情報測定装置８３とがそれぞれ環境情報を測定して、測定された環境情報が一致することを携帯端末装置８１で確認して、無線ＬＡＮターミナル装置８２と携帯端末装置８１との間の無線接続を認証する場合を用いて説明したが、本発明はこれに限定されるものではない。移動可能な情報処理装置と、通常は設置されている情報処理装置とがそれぞれ環境情報を測定して、測定された環境情報が一致することをいずれかの情報処理装置で確認して、相手の情報処理装置からの処理要求を実行するような場合でも本発明は同様に適用可能である。
【符号の説明】
【０１１４】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    環境情報測定部
３２    データ転送部
３３    印刷ジョブ受付部
３４    環境情報受信部
３５    比較部
３６    制御部
３７    画像出力部
４０    インターネット通信網
４１    加速度センサ
４２    気圧センサ
４３    集音マイク
４４    特徴パターン演算部
４５    特徴パターン記憶部
５０    サーバ装置
５１    ＣＰＵ
５２    メモリ
５３    記憶装置
５４    通信インタフェース（ＩＦ）
５５    ユーザインタフェース（ＵＩ）装置
５６    制御バス
６１    環境情報測定部
６２    画像データ受信部
６３    環境情報受信部
６４    比較部
６５    制御部
７１    加速度センサ
７２    気圧センサ
７３    集音マイク
７４    特徴パターン演算部
７５    特徴パターン記憶部
８１    携帯端末装置
８２    無線ＬＡＮターミナル装置
８３    環境情報測定装置
９１    環境情報測定部
【図１】
0006714807.tif 000002
【図２】
0006714807.tif 000003
【図３】
0006714807.tif 000004
【図４】
0006714807.tif 000005
【図５】
0006714807.tif 000006
【図６】
0006714807.tif 000007
【図７】
0006714807.tif 000008
【図８】
0006714807.tif 000009
【図９】
0006714807.tif 000010
【図１０】
0006714807.tif 000011
【図１１】
0006714807.tif 000012
【図１２】
0006714807.tif 000013
【図１３】
0006714807.tif 000014
【図１４】
0006714807.tif 000015
【図１５】
0006714807.tif 000016
【図１６】
0006714807.tif 000017